(57)【特許請求の範囲】
【請求項１】
内視鏡の鉗子チャンネルに挿通可能な可撓性を有する挿入部と、
前記挿入部の内孔に配設され、前記挿入部の軸方向に進退自在な操作ワイヤと、
前記挿入部の手元側に接続され、前記操作ワイヤの進退操作を行なうための操作部と、
前記挿入部の先端に取り付けられた処置部であって、前記操作部の後退操作による前記操作ワイヤの後退に応じて対象物に対して接近動作及び押圧されると共に、前記操作部の前進操作による前記操作ワイヤの前進に応じて対象物に対して離間動作される処置部と、
を具備し、
前記操作ワイヤが少なくとも１本のワイヤ材によって構成され、前記操作ワイヤの外表面の少なくとも一部に樹脂材が配設または密着して設けられるとともに、前記挿入部の少なくとも内面が金属製の丸コイルを用いて構成され、前記丸コイルの内面側素線表面のみに微小平坦部が設けられており、前記微小平坦部は、前記丸コイルの素線の横断面において、手元側に向かって前記丸コイルの中心軸に近づくように傾いている、ことを特徴とする内視鏡用処置具。
【請求項２】
前記丸コイルの内面、前記樹脂材の表面、又は、前記操作ワイヤの表面の少なくとも一部分にシリコンオイルを塗布したことを特徴とする請求項１に記載の内視鏡用処置具。
【請求項３】
前記樹脂材の外表面に２００μｍ以下の凹凸幅を持つエンボス加工を施したことを特徴とする請求項１又は２に記載の内視鏡用処置具。
【発明の詳細な説明】
【０００１】
【発明の属する技術分野】
本発明は、内視鏡の鉗子チャンネル内を通じて体内に導入されて所望の処置を行なう内視鏡用処置具に関する。
【０００２】
【従来の技術】
従来、図２３に示されるように、内視鏡１０１の鉗子チャンネル１００内に挿通可能な長尺な挿入部１０２と、挿入部１０２の先端に設けられた処置部１０４と、挿入部１０２の手元側に設けられた操作部１０６とを有し、挿入部１０２内に進退自在に挿通された操作ワイヤを操作部１０６により押し引き操作することによって先端の処置部１０４を動作させて所望の処置を行なう内視鏡用処置具１１０が知られている。このような内視鏡用処置具１１０の挿入部１０２は、例えば図２４に示されるように、断面形状が円形の素線によって形成されたコイル１０８内に樹脂チューブ１１２を配設し、この樹脂チューブ１１２内に操作ワイヤ１１４を挿通させた構造を成している（特表平９−５０７４２０号公報（シンバイオシス）やＵＳＰ５１３３７２７号（シンバイオシス）等参照）。
【０００３】
【発明が解決しようとする課題】
ところで、処置する時に先端の処置部１０４に力を必要とする生検鉗子等のような内視鏡用処置具は、手元側の操作部１０６に１０（ｋｇｆ）以上の力を掛けることがある。この場合、挿入部１０２のコイル１０８内を挿通する操作ワイヤ１１４にも同様の力が加わる。したがって、特表平９−５０７４２０号公報（シンバイオシス）やＵＳＰ５１３３７２７号（シンバイオシス）に開示されるような構造を成す内視鏡用処置具（図２４参照）にあっては、図２３に示すように内視鏡１０１を湾曲させた状態で操作部１０６を操作すると、湾曲の中心側に向かう力が操作ワイヤ１１４に加わり、図２４および図２５に示すように、操作ワイヤ１１４の摺動を良くするために配設されている樹脂チューブ１１２がコイル１０８の素線間の溝１２０に食い込んで、操作部１０６の力が先端の処置部に効率良く伝わらなくなるという問題が生じる。この場合、操作ワイヤ１１４と樹脂チューブ１１２は固定されていないが、コイル１０８と樹脂チューブ１１２との摺動抵抗よりも樹脂チューブ１１２と操作ワイヤ１１４との摺動抵抗の方が大きいため、操作ワイヤ１１４を摺動させると操作ワイヤ１１４と樹脂チューブ１１２とが一体となってコイル１０８内を動作する。そのため、樹脂チューブ１１２の動きが阻止されると、操作ワイヤ１１４に伝わる力は減衰する。
【０００４】
本発明は前記事情に着目してなされたものであり、その目的とするところは、内視鏡の如何なる湾曲状態でも操作力を効率良く処置部に伝達することができる内視鏡用処置具を提供することにある。
【０００５】
【課題を解決するための手段】
前記課題を解決するために、本発明の内視鏡用処置具は、内視鏡の鉗子チャンネルに挿通可能な可撓性を有する挿入部と、前記挿入部の内孔に配設され、前記挿入部の軸方向に進退自在な操作ワイヤと、前記挿入部の手元側に接続され、前記操作ワイヤの進退操作を行なうための操作部と、前記挿入部の先端に取り付けられた処置部であって、前記操作部の後退操作による前記操作ワイヤの後退に応じて対象物に対して接近動作及び押圧されると共に、前記操作部の前進操作による前記操作ワイヤの前進に応じて対象物に対して離間動作される処置部と、を具備し、前記操作ワイヤが少なくとも１本のワイヤ材によって構成され、前記操作ワイヤの外表面の少なくとも一部に樹脂材が配設または密着して設けられるとともに、前記挿入部の少なくとも内面が金属製の丸コイルを用いて構成され、前記丸コイルの内面側素線表面のみに微小平坦部が設けられており、前記微小平坦部は、前記丸コイルの素線の横断面において、手元側に向かって前記丸コイルの中心軸に近づくように傾いている、ことを特徴とする。
【０００６】
【発明の実施の形態】
以下、図面を参照しながら本発明の実施形態について説明する。なお、本実施形態では内視鏡用処置具として生検鉗子を例に挙げて説明するが、把持鉗子や糸切鉗子、鋏鉗子、ホットバイオプシ鉗子、高周波スネア、回転クリップ装置、結紮装置、砕石具、採石バスケット、細胞診ブラシ、パピロトームなどに本発明を適用できることは言うまでもない。
【０００７】
図１に示すように内視鏡用生検鉗子１は、内視鏡の鉗子チャンネルに挿通可能な可撓性を有する挿入部２と、操作部３とによって構成されている。図１〜図４に示されるように、挿入部２は、内孔を有するコイル７と、コイル７の外表面にチュービング成形や熱収縮チューブなどにより被覆された外チューブ１０と、コイル７の内孔に配設された内チューブ１１と、内チューブ１１の内孔に進退自在に配設された２本の操作ワイヤ８，９と、コイル７の先端と嵌合してレーザ溶接やロー付け、半田付、カシメなどで固定されているカップ保持部材６と、カップ保持部材６の先端付近にピン１２を介して回転自在に取り付けられた処置部としての一対の生検カップ４，５と、針１３とによって構成されている。針１３の先端側は生検カップ４，５に挟まれるようにピン１２で固定され、針１３の手元側はカップ保持部材６の手元側付近に設けられた孔４７によりカップ保持部材６と嵌合している。
【０００８】
図５に示されるように、コイル７の内面には、軸方向に延びる微小平坦部７′が全長または少なくとも一部に設けられている。また、図６に示されるように、コイル７の外面にも軸方向に延びる微小平坦部７″が形成されていても良い。さらに、操作ワイヤ８，９を手元側に引張った時の伝達性を向上させるために、図７および図８に示されるように、手元側に向けてコイル７の内孔が先細るように軸方向に対して角度θ′を成す微小平坦部７’’’をコイル７の内面に形成しても良い。この場合、角度θ′は４５°以下が望ましい。このように角度θ′を成す微小平坦部７’’’をコイル７の内面に形成すると、操作ワイヤ８，９を手元側に引く時は、操作ワイヤ８，９が勾配に沿って摺動するため抵抗が小さくなり、反対に操作ワイヤ８，９を先端側に押す時は、勾配に反する形になるが、この場合、操作ワイヤ８，９をコイル７に押し付ける方向に力が発生しないため、勾配による抵抗は増加しない。
【０００９】
操作ワイヤ８，９は、ほぼコイル７内に配設されている部分が内チューブ１１に挿通されており、図３に示されるように内チューブ１１の内孔に挿通されているだけで内チューブ１１と固定されてはいない。また、内チューブ１１とコイル７との接触面積を少なくして伝達性および作動性を向上させるために、内チューブ１１の外表面にはエンボス加工が施されている。この場合、エンボスの粗さは、凹凸の幅で２００μｍ以下であることが望ましく、１３〜２０μｍであれば更に望ましい。また、操作ワイヤ８，９の動きを良くするために、コイル７と操作ワイヤ８，９と内チューブ１１の少なくとも一ヶ所にはシリコンオイルが塗布されている。
【００１０】
また、図９に示されるように、内チューブ１１は、組立性の向上や部品原価低減のため、チュービング成形、熱収縮処理、ディッピング処理、吹き付け処理などによって操作ワイヤ８，９の各々の表面に樹脂材４５，４５′を被覆させた構造であっても良い。この場合、言うまでもなく、エンボス加工とシリコンオイル塗布とが前述と同様に施されていても良い。
【００１１】
また、針１３の板厚は、組織への穿刺性を向上させるために、０．０２ｍｍ〜０．３ｍｍであることが好ましく、０．１５ｍｍであることが更に望ましい。また、針１３は、プレス加工、冷間鍛造加工、フォトエッチング加工などによって作られる。
【００１２】
図４に明確に示されるように、操作ワイヤ８，９の先端部は、一度略直角に折り曲げられて生検カップ４，５の手元側にそれぞれ設けられた孔１５に挿入されている。また、孔１５から操作ワイヤ８，９が外れるのを防止するため、略直角に折り曲げられた操作ワイヤ８，９の先端は、ワイヤの軸方向または軸と垂直な方向に圧力が加えられることによって潰されてストッパ部１４を形成している。なお、ピン１２は、図４に示されるように、一端が皿状に形成され、他端がレーザ溶接やカシメなどによってカップ保持部材６に固定されている。
【００１３】
一方、操作部３は、図１に示されるように、操作部本体１９とスライダ４３とから成る。図１０および図１１に示されるように、コイル７の手元側には、オートスライス加工、カシメ、ロー付け、半田付け、超音波溶接等によって、円筒形状のストッパ２６が固定されている。ストッパ２６を含む挿入部２の手元側は、操作部本体１９内に配設されるとともに、本体蓋２２を図１２に矢印で示されるＴ方向へ押込んで操作部本体１９に形成された溝２７に本体蓋２２の爪部２８を嵌合させることにより、操作部本体１９に対して固定される。このような構成により、操作部本体１９と本体蓋２２との組立性が向上する。
【００１４】
また、爪部２８を溝２７にガイドさせながら本体蓋２２を図１０および図１１に矢印で示されるＵ方向にスライドさせることによって、本体蓋２２を操作部本体１９に固定しても良い。この場合、本体蓋２２のテーパ部３９が操作部本体１９に形成された係止部４０を乗り越えた後に、本体蓋２２に形成された凹部４１（図１３参照）と係止部４０とが係合するように構成すれば、本体蓋２２が操作部本体１９から外れにくく有益である。
【００１５】
また、操作部本体１９と本体蓋２２との固定強度を向上させるため、図１４に示されるように、溝２７と爪部２８との係合面をθ°（０°以上９０°未満）傾けて、本体蓋２２が操作部本体１９から外れにくい構造にしても良い。
【００１６】
また、本体蓋２２は、内視鏡の鉗子チャンネルの内径に対応した識別が可能なように色を付けても良い。また、本体蓋２２の外表面に製品名などを図２０または図２１に示されるように凸文字あるいは凹文字で表示しても良い。
【００１７】
図１５、図１６、図１８に示されるように、操作ワイヤ８，９の手元側端部は内孔を有した操作パイプ２５内に配設されている。また、操作パイプ２５の手元側端部は、ストッパ３０の側孔４４に嵌入されるとともに、ネジ３１で操作ワイヤ８，９を含む操作パイプ２５が変形されることによりネジ止め固定されている。これにより、ワイヤ８，９の固定強度が向上する。また、操作パイプ２５とストッパ３０とネジ３１とを含む操作ワイヤ８，９の手元側端部は、スライダ４３を構成するスライダ部材２０，２０′に設けられた凹部３４にストッパ３０が係合するような形態で配設されている。また、図１５、図１７、図１９に示されるように、スライダ部材２０，２０′は、スライダ部材２０′の凸部３６がスライダ部材２０の凹部３５に係合した状態で超音波溶着等により接合されている。この超音波溶着では、スライダ部材２０，２０′にそれぞれ左右対称に２つずつ設けられた凸部３２が溶けることにより、スライダ部材２０，２０′同士が溶着接合される。この場合、凹部３３は、凸部３２が溶融した際に接合部に隙間ができないための逃げシロである。また、スライダ部材２０，２０′は、同一形状をした２個の部品で構成され、対称形状を成しているため、方向性のない組立ておよび部品コストの削減が可能である。また、逃げ３７は、ピンゲート処理による外観への出っ張りを防止するための窪みである。
【００１８】
また、ストッパ２１（図１参照）は、スライダ４３がスリット２４の間をスライドする時の規制部材として機能する。このようなストッパ２１を設けると、ある一定のストロークでスライダ本体４３をスライドさせた時に、操作パイプ２５がコイル７から外れるのが防止されるとともに、親指掛け部２３とスライダ４３との間隔を操作し易い位置に配置することができる。
【００１９】
なお、本実施形態において、外チューブ１０と内チューブ１１と樹脂材４５，４５′は、ポリオレフィン系樹脂材料、例えば、高密度ポリエチレン（ＨＤＰＥ）、低密度ポリエチレン（ＬＤＰＥ）、直鎖低密度ポリエチレン（ＬＬＤＰＥ）、ポリエチレンテレフタレート（ＰＥＴ）、ポリプロピレン（ＰＰ）、ポリブチレンテレフタレート（ＰＢＴ）などや、フッ素系樹脂材料、例えば、ポリ四フッ化エチレン（ＰＴＦＥ）、四フッ化エチレン・パーフルオロ・アルコキシ・エチレン樹脂（ＰＦＡ）、四フッ化エチレン六フッ化プロピレン樹脂（ＦＥＰ）、四フッ化エチレンエチレン（ＥＴＦＥ）などやポリアミド（ＰＡ）、ポリアセタール（ＰＯＭ）、ポリエーテル・エーテル・ケトン（ＰＥＥＫ）、ポリカーボネイト（ＰＣ）、アクリロトリル・ブタジエン・スチレン（ＡＢＳ）等の樹脂材料またはこれらの混合材料で構成されている。
【００２０】
また、生検カップ４，５とカップ保持部材６は、金属材料または樹脂材料で構成されており、金属材料の場合は、例えば、ステンレス、アルミニウム、ニッケル、黄銅、チタニウム、鉄、リン青銅、タングステン、金、銀、銅、ＳＦ20Ｔ（フェライト系ステンレス鋼、化学成分：Ｃ≦０．０５［ｗｔ％］，Ｓｉ≦１［ｗｔ％］，Ｍｎ≦２［ｗｔ％］，Ｐ≦０．０５［ｗｔ％］，Ｓ≧０．１５［ｗｔ％］，Ｃｒ＝１９〜２１［ｗｔ％］，Ｍｏ＝１．５〜２．５［ｗｔ％］，Ｐｂ＝０．１〜０．３，Ｔｅ＝０．０１〜０．０７）等の金属またはこれらの合金で作られており、樹脂材料の場合は、ポリオレフィン系樹脂材料、例えば、高密度ポリエチレン（ＨＤＰＥ）、低密度ポリエチレン（ＬＤＰＥ）、直鎖低密度ポリエチレン（ＬＬＤＰＥ）、ポリエチレンテレフタレート（ＰＥＴ）、ポリプロピレン（ＰＰ）、ポリブチレンテレフタレート（ＰＢＴ）などや、フッ素系樹脂材料、例えば、ポリ四フッ化エチレン（ＰＴＦＥ）、四フッ化エチレン・パーフルオロ・アルコキシ・エチレン樹脂（ＰＦＡ）、四フッ化エチレン六フッ化プロピレン樹脂（ＦＥＰ）、四フッ化エチレンエチレン（ＥＴＦＥ）などやポリアミド（ＰＡ）、ポリアセタール（ＰＯＭ）、ポリエーテル・エーテル・ケトン（ＰＥＥＫ）、ポリカーボネイト（ＰＣ）、アクリロトリル・ブタジエン・スチレン（ＡＢＳ）、液晶ポリマー等で作られている。
【００２１】
また、コイル７と操作ワイヤ８，９と針１３は、金属材料構成されており、例えば、ステンレス、アルミニウム、ニッケル、黄銅、チタニウム、鉄、リン青銅、タングステン、金、銀、銅等の金属またはこれらの合金、或はこれらの高抗張力素材で作られている。
【００２２】
以上説明してきた本実施形態の構成では、操作部本体１９上を摺動できるスライダ４３を介して操作ワイヤ８，９がコイル７の内孔を摺動進退することで、操作ワイヤ８，９の先端に連結された生検カップ４，５が開閉し、生体内の組織が生検カップ４，５によって採取される。この場合、コイル７の内面に微小平坦部７′が０．０２〜０．３ｍｍで形成されているため、図２２に示されるように湾曲されても、操作ワイヤ８，９の外表面に配設されている樹脂チューブ１１がコイル７の素線間に入り込んで操作ワイヤ８，９の動きが阻害されることはない。そのため、操作部３に加えた力が操作ワイヤ８，９を介して効率良く処置部４，５に伝達され、処置時に大きな力を発生させることができる。
【００２３】
以上のように、本実施形態の内視鏡用生検鉗子１によれば、内視鏡の如何なる湾曲状態でも操作部３に加えた力を効率良く生検カップ４，５に伝えることができるため、僅かな力で簡単に組織採取を行なうことができる。したがって、処置操作時における医師または介助者の負担を大幅に軽減できる。また、コイル７の内径を従来品よりも大きく設定することができるため、操作ワイヤ８，９とのクリアランスを大きく取れ、結果的に、操作ワイヤ８，９の作動性を良好にすることができる。また、大きな構造変更を必要としないため、コストを上げずに機能向上を実現できる。
【００２４】
なお、以上説明してきた技術内容によれば、以下に示されるような各種の構成が得られる。
【００２５】
１．内視鏡の鉗子チャンネルに挿通可能な可撓性を有する挿入部と、
前記挿入部の内孔に配設され、前記挿入部の軸方向に進退自在な操作ワイヤと、
前記挿入部の手元側に接続され、前記操作ワイヤの進退操作を行なうための操作部と、
前記挿入部の先端に取り付けられた処置部と、
を具備し、
前記操作ワイヤが少なくとも１本のワイヤ材によって構成され、前記操作ワイヤの外表面の少なくとも一部に樹脂材が配設または密着して設けられるとともに、前記挿入部の少なくとも内面が金属製のコイルで構成され、前記コイルの少なくとも内面側の素線表面に微小平坦部が設けられていることを特徴とする内視鏡用処置具。
【００２６】
２．前記コイルの内面側の素線表面のみに微小平坦部が設けられていることを特徴とする第１項に記載の内視鏡用処置具。
【００２７】
３．前記コイルおよび前記操作ワイヤがステンレス、アルミニウム、ニッケル、黄銅、チタニウム、鉄、リン青銅、タングステン、金、銀、銅等の金属線またはこれらの合金で作られていることを特徴とする第１項または第２項に記載の内視鏡用処置具。
【００２８】
４．前記コイル内面の前記微小平坦部の長さが前記素線表面の各々にコイルの軸方向の断面において０．０２〜０．３ｍｍ形成されていることを特徴とする第３項に記載の内視鏡用処置具。
【００２９】
５．前記操作ワイヤが少なくとも１本の単線ワイヤであることを特徴とする第１項または第２項に記載の内視鏡用処置具。
【００３０】
６．前記操作ワイヤが少なくとも１本の撚り線ワイヤであることを特徴とする第１項または第２項に記載の内視鏡用処置具。
【００３１】
７．前記樹脂がチューブ状に成形され、前記操作ワイヤの外周上に進退自在に配設したことを特徴とする第５項または第６項に記載の内視鏡用処置具。
【００３２】
８．前記チューブ状に成形された外表面に２００μｍ以下の凹凸幅を持つエンボス加工を施したことを特徴とする第７項に記載の内視鏡用処置具。
【００３３】
９．前記樹脂が前記ワイヤに押出し成形、熱収縮成形、ディッピング処理、吹き付け処理などにより密着固定されていることを特徴とする第５項または第６項に記載の内視鏡用処置具。
【００３４】
１０．前記ワイヤに密着固定された前記樹脂の外表面に２００μｍ以下の凹凸幅を持つエンボス加工を施したことを特徴とする第９項に記載の内視鏡用処置具。
【００３５】
１１．前記ワイヤが高抗張力素材で作られたことを特徴とする第５項または第６項に記載の内視鏡用処置具。
【００３６】
１２．前記樹脂がポリオレフィン系樹脂材料、例えば、高密度ポリエチレン（ＨＤＰＥ）、低密度ポリエチレン（ＬＤＰＥ）、直鎖低密度ポリエチレン（ＬＬＤＰＥ）、ポリエチレンテレフタレート（ＰＥＴ）、ポリプロピレン（ＰＰ）、ポリブチレンテレフタレート（ＰＢＴ）などや、フッ素系樹脂材料、例えば、ポリ四フッ化エチレン（ＰＴＦＥ）、四フッ化エチレン・パーフルオロ・アルコキシ・エチレン樹脂（ＰＦＡ）、四フッ化エチレン六フッ化プロピレン樹脂（ＦＥＰ）、四フッ化エチレンエチレン（ＥＴＦＥ）などやポリアミド（ＰＡ）、ポリアセタール（ＰＯＭ）、ポリエーテル・エーテル・ケトン（ＰＥＥＫ）、ポリカーボネイト（ＰＣ）、アクリロトリル・ブタジエン・スチレン（ＡＢＳ）等の樹脂材料またはこれらの混合材料でつくられていることを特徴とする第７項または第９項に記載の内視鏡用処置具。
【００３７】
１３．前記コイルの外表面が、ポリオレフィン系樹脂材料、例えば、高密度ポリエチレン（ＨＤＰＥ）、低密度ポリエチレン（ＬＤＰＥ）、直鎖低密度ポリエチレン（ＬＬＤＰＥ）、ポリエチレンテレフタレート（ＰＥＴ）、ポリプロピレン（ＰＰ）、ポリブチレンテレフタレート（ＰＢＴ）などや、フッ素系樹脂材料、例えば、ポリ四フッ化エチレン（ＰＴＦＥ）、四フッ化エチレン・パーフルオロ・アルコキシ・エチレン樹脂（ＰＦＡ）、四フッ化エチレン六フッ化プロピレン樹脂（ＦＥＰ）、四フッ化エチレンエチレン（ＥＴＦＥ）などやポリアミド（ＰＡ）、ポリアセタール（ＰＯＭ）、ポリエーテル・エーテル・ケトン（ＰＥＥＫ）、ポリカーボネイト（ＰＣ）、アクリロトリル・ブタジエン・スチレン（ＡＢＳ）等の樹脂材料またはこれらの混合材料で被覆されていることを特徴とする第３項に記載の内視鏡用処置具。
【００３８】
１４．前記コイルの素線を裸線で表面粗さ０．８Ｓよりも小さいことを特徴とする第３項に記載の内視鏡用処置具。
【００３９】
１５．前記コイル内面または前記樹脂表面または前記ワイヤ表面の少なくとも一部分にシリコンオイルを塗布したことを特徴とする第３項に記載の内視鏡用処置具。
【００４０】
１６．前記コイル内面の前記微小平坦部が前記コイルの中心軸に対して傾きを有しており、前記傾きが手元側に向かうにしたがって前記中心軸に近づく様に傾いていることを特徴とする第１項または第２項に記載の内視鏡用処置具。
【００４１】
【発明の効果】
以上説明したように、本発明によれば、内視鏡の如何なる湾曲状態でも操作力を効率良く処置部に伝達することができる内視鏡用処置具を提供できる。
【図面の簡単な説明】
【図１】本発明の一実施形態に係る内視鏡用生検鉗子の全体構成図である。
【図２】（ａ）は図１の内視鏡用生検鉗子の生検カップが閉じた状態の一部断面が付された側面図、（ｂ）は（ａ）の生検鉗子の生検カップの軸方向正面図である。
【図３】図１の内視鏡用生検鉗子の生検カップが開いた状態の一部断面が付された側面図である。
【図４】図２の（ａ）のＥ−Ｅ線に沿う断面図である。
【図５】コイルの断面形状の一例を示す拡大断面図である。
【図６】コイルの断面形状の他の例を示す拡大断面図である。
【図７】コイルの断面形状の他の例を示す拡大断面図である。
【図８】コイルの断面形状の他の例を示す拡大断面図である。
【図９】操作ワイヤが挿通される内チューブの変形例を示す拡大断面図である。
【図１０】図１に示されるＰ部の詳細図であり、中心よりも上半分が断面になっている図である。
【図１１】図１０のＲ−Ｒ線に沿う断面図である。
【図１２】図１１のＩ−Ｉ線に沿う断面図である。
【図１３】図１１のＪ−Ｊ線に沿う断面図である。
【図１４】図１２のＫ部拡大図である。
【図１５】図１に示されるＱ部の詳細図であり、上半分が断面になっている図である。
【図１６】図１５のＳ−Ｓ線に沿う断面図である。
【図１７】図１５のＬ−Ｌ線に沿う断面図である。
【図１８】図１５のＭ−Ｍ線に沿う断面図である。
【図１９】図１５のＮ−Ｎ線に沿う断面図である。
【図２０】図１の生検鉗子の操作部の本体蓋の外表面に刻印される凹凸文字を示す斜視図である。
【図２１】図１の生検鉗子の操作部の本体蓋の外表面に刻印される凹凸文字を示す斜視図である。
【図２２】本発明の一実施形態に係る構成の作用を説明するための断面図である。
【図２３】内視鏡用処置具の一般的な使用形態を示す図である。
【図２４】内視鏡を湾曲させた際の内視鏡要処置具の挿入部の状態を示す断面図である。
【図２５】内視鏡を湾曲させた際の内視鏡要処置具の挿入部の状態を示す断面図である。
【符号の説明】
１…内視鏡用生検鉗子（内視鏡用処置具）
２…挿入部
３…操作部
４，５…生検カップ（処置部）
７…コイル
７′…微少平坦部
８，９…操作ワイヤ
１１…内チューブ（樹脂材）
【図１】
0004166414.tif 000002
【図２】
0004166414.tif 000003
【図３】
0004166414.tif 000004
【図４】
0004166414.tif 000005
【図５】
0004166414.tif 000006
【図６】
0004166414.tif 000007
【図７】
0004166414.tif 000008
【図８】
0004166414.tif 000009
【図９】
0004166414.tif 000010
【図１０】
0004166414.tif 000011
【図１１】
0004166414.tif 000012
【図１２】
0004166414.tif 000013
【図１３】
0004166414.tif 000014
【図１４】
0004166414.tif 000015
【図１５】
0004166414.tif 000016
【図１６】
0004166414.tif 000017
【図１７】
0004166414.tif 000018
【図１８】
0004166414.tif 000019
【図１９】
0004166414.tif 000020
【図２０】
0004166414.tif 000021
【図２１】
0004166414.tif 000022
【図２２】
0004166414.tif 000023
【図２３】
0004166414.tif 000024
【図２４】
0004166414.tif 000025
【図２５】
0004166414.tif 000026